(57)【要約】【課題】空気調和機に二酸化炭素センサを取り付ける場合、インバータノイズやスイッチングノイズが影響し易い熱交換器近傍に取り付けられるケースが多く、高インピーダンスの二酸化炭素センサはノイズの影響を受け易い。【解決手段】空気調和機の熱交換器近傍に設けられた制御装置内に搭載し且つ金属製の外郭を持つ二酸化炭素センサと、前記二酸化炭素センサを制御する制御回路とで構成し、前記二酸化炭素センサの外郭と前記制御回路のアース部とを接続させる。【選択図】  図１
2004257653.tif 000002
【特許請求の範囲】
【請求項１】
空気調和機の熱交換器近傍に設けられた制御装置であって、前記制御装置内に搭載し、且つ金属製の外郭部を持つ二酸化炭素センサと、前記二酸化炭素センサを制御する制御回路とで構成し、前記二酸化炭素センサの外郭部と前記制御回路のアース部とを接続させることを特徴とした、空気調和機の制御装置。
【請求項２】
二酸化炭素センサ外郭部は円柱形状であって、アース線を前記二酸化炭素センサ外郭部表面に接触させながら巻回したことを特徴とする、請求項１記載の空気調和機の制御装置。
【請求項３】
巻回前のアース線の巻き直径が、二酸化炭素センサ外郭部の直径よりも小さく成形されていることを特徴とする、請求項２記載の空気調和機の制御装置。
【請求項４】
二酸化炭素センサ外郭部へのアース線の接続を、粘着テープで行うことを特徴とする、請求項１記載の空気調和機の制御装置。
【請求項５】
二酸化炭素センサ外郭部へのアース線の接続を、半田付けで行うことを特徴とする、請求項１記載の空気調和機の制御装置。
【発明の詳細な説明】
【０００１】
【発明の属する技術分野】
本発明は、空気調和機内の熱交換器近傍に設置され、二酸化炭素センサを搭載した制御装置に関するものである。
【０００２】
【従来の技術】
従来、各種センサやその他の電気デバイスの動作を確実なものにするために、前記センサや電気デバイスにアース線の一端を取付け、他端を接地する方法が取られていた。図３は従来技術の一例を図示したものである。同図に示すように、プリント基板１０２を複数のシールドケース１０１・１０３で挟持する際に、プリント基板のパターン部１０５に前記シールドケースを接触部１０４にて接触するようにし、プリント基板のシールドを確保するものであった（例えば、特許文献１参照）。
【０００３】
また、二酸化炭素センサを搭載した空気調和機に関するもので、ＣＯ２濃度の検出結果に応じて、新鮮な空気を室内へ送り込み、住空間の空調環境を整えるというものがあった（例えば特許文献２、特許文献３）。
【０００４】
【特許文献１】
実開平０３−０２８７９６号公報
【特許文献２】
特開平０５−２０３２２６号公報
【特許文献３】
特開平０５−０９６１１７号公報
【０００５】
【発明が解決しようとする課題】
しかしながら、上記従来の技術では以下のような課題があった。
【０００６】
すなわち、二酸化炭素センサは表面が金属の外郭部で覆われており、且つ一般的に高インピーダンス（１００ＧΩ程度）であることから、電気外乱ノイズの影響を受けやすい。特に空気調和機にあっては、二酸化炭素センサが取り付けられる場所は、インバータノイズが配管や本体シャーシを伝播し、大きく影響を受ける熱交換器近傍である場合が多く、電気外乱ノイズの影響を受けやすく、対策が必要であった。
【０００７】
また、これを克服するためにプリント基板全体を覆うシールドケースを用いた場合、占有空間がより増大し、空気調和機内の狭小な空間に制御装置を搭載するのは困難であった。
【０００８】
【課題を解決するための手段】
前記従来の課題を解決するために本発明は、空気調和機の熱交換器近傍に制御装置を設け、前記制御装置内に搭載し且つ金属製の外郭を持つ二酸化炭素センサと、前記二酸化炭素センサを制御する制御回路とで構成し、前記二酸化炭素センサの外郭と前記制御回路のアース部とを接続させたものである。この構成をなすことにより、インバータやスイッチング電源から熱交換器に伝播してくるノイズの二酸化炭素センサへの影響を抑制する。
【０００９】
【発明の実施の形態】
以下に、本発明の実施の形態について、図面を参照しながら説明する。
【００１０】
（実施の形態１）
図１は、本発明の第１の実施の形態における、空気調和機の構成および制御装置の詳細図である。図１（ａ）は空気調和機の構成図である。同図において、空気調和機は室内機３と室外機（図示せず）とからなり、室内機３には、二酸化炭素を検知する制御装置２、熱交換器４、および送風機１０が搭載され、室外機には圧縮機等の電動機（図示せず）を駆動するための制御装置７が搭載されている。室内空気は送風機１０を駆動することにより矢印６の経路で熱交換器４を通過し熱交換され、再び室内へ吹出される。
【００１１】
また、二酸化炭素を検知する制御装置２には二酸化炭素センサ１が搭載されている。
【００１２】
一方、熱交換器４や制御装置７はそれぞれ、接地アース５において接地されており、制御装置７に搭載されたスイッチング電源１１の駆動によって発生したノイズは接地アース５を通り、経路９を通って室内機３に侵入し、更に熱交換器４に伝達して、制御装置２に到達する。なお、圧縮機等の電動機（図示せず）を駆動する制御装置７は、ファンモータ制御用や圧縮機インバータ制御用にスイッチング電源１１が使用されることが多い。ところが、スイッチング電源１１は電気外乱ノイズ成分が多く含まれるため、その対策としてコンデンサーカップリング１２で接地アースに接続し、この電気外乱ノイズを逃がす回路を組んでいる。
【００１３】
次に、図１（ｂ）、図１（ｃ）を用いて二酸化炭素を検知する制御装置２の詳細について説明する。図１（ｂ）は制御装置２に搭載された制御装置の詳細図である。制御装置のプリント基板２ａ上に二酸化炭素センサ１が搭載され、その内部にセンサ官能部１ａが搭載され、センサ１の表面はアルミの外郭部１ｂで覆われている。そして外郭部１ｂ表面には、アルミテープ等の粘着テープあるいは半田でアース線８を接続する接続部８ａを設けている。
【００１４】
また、図１（ｃ）の制御装置２の回路図に示すように、二酸化炭素を検知する制御装置２の回路は構成されている。同図に示すようにセンサ官能部１ａは経路８ｂによって接地されている。
【００１５】
以上のような構成をなすことにより、二酸化炭素センサ１を覆う金属の外郭部１ｂと、制御回路のアース部８ｂを、アース線８で接続することで、電気外乱ノイズの影響が抑制できるため、二酸化炭素センサの誤検知を防止することができる。
（実施の形態２）
図２は本発明の実施の形態２における二酸化炭素センサおよび制御装置構成図である。なお、実施の形態１と同符号の部分については説明を省略する。
【００１６】
同図において、制御装置２のプリント基板２ａ上に搭載された二酸化炭素センサ２の外郭部１ｂ表面に金属のアース接続線８が渦巻き状に巻回され接触している。アース線８の径は、巻回前のアース線の巻き直径が二酸化炭素センサ外郭部の直径よりも小さく成形され、アース線８自身の持つバネ力で二酸化炭素センサ表面に確実に巻回されている。
【００１７】
以上の構成をなすことにより、アース線８が、二酸化炭素センサ１の外郭部１ｂの円柱径に合わせ、渦巻き状に成形して接触させているため、接触面積が増え、アース効果が増し、ノイズ抑制効果を向上することができる。
【００１８】
【発明の効果】
上記より明らかなように、本発明は、空気調和機の熱交換器近傍に設けられた制御装置であって、前記制御装置内に搭載し且つ金属製の外郭を持つ二酸化炭素センサと、前記二酸化炭素センサを制御する制御回路とで構成し、前記二酸化炭素センサの外郭と前記制御回路のアース部とを接続させたもので、室外機のインバータノイズやスイッチング電源ノイズなどの影響を抑制することができるため、二酸化炭素センサの誤検知を防止することができる。
【００１９】
また本発明は、二酸化炭素センサ外郭を円柱形状とし、アース線を前記二酸化炭素センサ外郭表面に接触させながら巻回させたもので、二酸化炭素センサ外郭が半田付けできない金属であったとしても、二酸化炭素センサ外郭と金属のアース接続部の接触面積を広く確保できるため、アース効果が増大し、ノイズ抑制効果が向上する。
【図面の簡単な説明】
【図１】（ａ）は本発明の実施の形態１の空気調和機の構成図
（ｂ）は本発明の実施の形態１の制御装置の詳細図
（ｃ）は本発明の実施の形態１の制御装置の回路図
【図２】本発明の実施の形態２の制御装置の詳細図
【図３】従来の空気調和機の構成図
【符号の説明】
１  二酸化炭素センサ
１ａ    二酸化炭素センサの官能部
２  二酸化炭素を検知する制御装置
３  空気調和機の室内機
４  熱交換器
５  接地アース
８  アース線
８ａ    接続部
【図１】
2004257653.tif 000003
【図２】
2004257653.tif 000004
【図３】
2004257653.tif 000005